(57)【要約】【課題】媒体を安定させて、かつ、十分な搬送力で搬送することができるようにする。【解決手段】上下方向に移動自在に配設された搬送ローラ軸と、複数箇所において前記搬送ローラ軸を押し付ける押付部材と、該押付部材を媒体の搬送路に向けて付勢する付勢部材とを有する。そして、前記押付部材は、一部が押し上げられるのに伴って全体が押し上げられる。この場合、押付部材は、媒体が挿入されて一部が押し上げられるのに伴って全体が押し上げられる。したがって、押付部材は搬送ローラ軸を媒体の幅方向にわたって一様の押付力で押し付けるので、媒体に幅方向にわたって一様な押圧力が加えられ、搬送力にむらが発生するのを防止することができ、媒体に斜行が発生するのを防止することができる。【選択図】          図１
2004345793.tif 000002
【特許請求の範囲】
【請求項１】
（ａ）上下方向に移動自在に配設された搬送ローラ軸と、
（ｂ）複数箇所において前記搬送ローラ軸を押し付ける押付部材と、
（ｃ）該押付部材を媒体の搬送路に向けて付勢する付勢部材とを有するとともに、
（ｄ）前記押付部材は、一部が押し上げられるのに伴って全体が押し上げられることを特徴とする媒体搬送装置。
【請求項２】
前記押付部材は剛体から成る請求項１に記載の媒体搬送装置。
【請求項３】
前記押付部材は、媒体が搬送される領域内の少なくとも１箇所において前記搬送ローラ軸を押し付ける請求項１に記載の媒体搬送装置。
【請求項４】
前記押付部材の両端の支持機構のうちの少なくとも一方に、前記搬送ローラ軸の押付状態を調整する調整部が配設される請求項１に記載の媒体搬送装置。
【請求項５】
前記押付部材は、媒体を案内するガイドの一部を構成する請求項１に記載の媒体搬送装置。
【発明の詳細な説明】
【０００１】
【発明の属する技術分野】
本発明は、媒体搬送装置に関するものである。
【０００２】
【従来の技術】
従来、プリンタ、複写機、ファクシミリ装置等の画像形成装置においては、媒体としての用紙を搬送するために媒体搬送装置が配設されるようになっている（例えば、特許文献１参照。）。
【０００３】
次に、画像形成装置のうちのプリンタについて説明する。
【０００４】
図２は従来のプリンタの媒体搬送装置の要部を示す正面図、図３は従来のプリンタの媒体搬送装置の要部を示す側面図、図４は従来のプリンタの媒体搬送装置において用紙を挿入した状態を示す正面図、図５は従来のプリンタの媒体搬送装置において用紙を挿入した状態を示す側面図である。
【０００５】
図において、１２、１３はプリンタのサイドフレーム、１４はアッパシャフト、１５はロワシャフトであり、アッパシャフト１４及びロワシャフト１５は、前記サイドフレーム１２、１３に対して図示されないブッシュを介して支持される。また、１６はアッパガイド、１７はロワガイドであり、アッパガイド１６及びロワガイド１７は、互いに距離δを置いて平行に、前記サイドフレーム１２、１３に溶接、ネジ等の固定手段によって固定される。
【０００６】
前記アッパシャフト１４及びロワシャフト１５には、軸方向における複数箇所にローラ２１、２２が互いに接触させて配設される。また、前記アッパガイド１６の複数箇所に、ブラケット２３を介してテンションスプリング２４が取り付けられ、該各テンションスプリング２４は、ガイドピース２６を介してアッパシャフト１４をロワシャフト１５に向けて所定の付勢力で押し付ける。
【０００７】
そして、図４及び５に示されるように、ローラ２１、２２間に用紙３１を挿入すると、前記付勢力によって用紙３１に適度の押圧力が加えられ、ローラ２１、２２の回転に伴って用紙３１が所定の搬送力で搬送される。
【０００８】
【特許文献１】
特開平８−１１３７５号公報
【０００９】
【発明が解決しようとする課題】
しかしながら、前記従来の媒体搬送装置においては、用紙３１が、例えば、はがき、通帳等の厚紙から成る場合、図４に示されるように、アッパシャフト１４が傾き、アッパシャフト１４及びロワシャフト１５の軸方向において搬送力にばらつきが発生してしまう。この場合、普通紙の厚さが約０．０８〔ｍｍ〕であるのに対して、例えば、通帳の厚さは約２〔ｍｍ〕である。したがって、用紙３１として厚紙が使用されると、用紙３１が斜行して搬送され、用紙３１を安定させて搬送することができない。
【００１０】
そこで、アッパシャフト１４を二つに分割することが考えられる。
【００１１】
図６は従来のプリンタの他の媒体搬送装置の要部を示す正面図である。
【００１２】
図において、１２、１３はプリンタのサイドフレーム、３２、３３はアッパシャフト、１５はロワシャフトであり、アッパシャフト３２、３３は前記サイドフレーム１２、１３に対して図示されないブッシュを介して片持ち梁（はり）式に支持され、ロワシャフト１５は、前記サイドフレーム１２、１３に対して図示されないブッシュを介して支持される。
【００１３】
また、２１、２２はローラ、２４はテンションスプリング、２６はガイドピースである。
【００１４】
この場合、アッパシャフト３２、３３が互いに独立に支持されるので、厚紙である用紙３１を搬送する場合でも、アッパシャフト３２、３３が傾くことがない。したがって、アッパシャフト３２、３３及びロワシャフト１５の軸方向において搬送力にばらつきが発生することがないので、用紙３１が斜行して搬送されるのを防止することができ、用紙３１を安定させて搬送することができる。
【００１５】
ところが、前記アッパシャフト３２、３３は、片持ち梁式に支持されるので、前記テンションスプリング２４の付勢力によって用紙３１に十分な押圧力を加えることができず、ローラ２１、２２の回転に伴って用紙３１の搬送力を十分に発生させることができない。
【００１６】
また、用紙３１をプリンタの図示されないテーブル上の所定の位置に配設されたガイドに沿って挿入するようにしたプリンタの場合、前述されたようにアッパシャフト３２、３３を独立に配設することができるが、用紙３１をテーブル上の幅方向における任意の位置において挿入することができるようにしたプリンタの場合、用紙３１を挿入する位置によっては、アッパシャフト３２、３３が傾いてしまう。
【００１７】
本発明は、前記従来の媒体搬送装置の問題点を解決して、媒体を安定させて、かつ、十分な搬送力で搬送することができる媒体搬送装置を提供することを目的とする。
【００１８】
【課題を解決するための手段】
そのために、本発明の媒体搬送装置においては、上下方向に移動自在に配設された搬送ローラ軸と、複数箇所において前記搬送ローラ軸を押し付ける押付部材と、該押付部材を媒体の搬送路に向けて付勢する付勢部材とを有する。
【００１９】
そして、前記押付部材は、一部が押し上げられるのに伴って全体が押し上げられる。
【００２０】
【発明の実施の形態】
以下、本発明の実施の形態について図面を参照しながら詳細に説明する。この場合、画像形成装置のうちのプリンタについて説明する。
【００２１】
図７は本発明の第１の実施の形態におけるプリンタの要部を示す概略図、図８は本発明の第１の実施の形態におけるプリンタの要部を示す第１の斜視図、図９は本発明の第１の実施の形態におけるプリンタの要部を示す第２の斜視図である。
【００２２】
図において、４１はプリンタ、１２、１３はプリンタ４１のサイドフレームであり、該サイドフレーム１２、１３間にキャリッジシャフト４２が架設され、前記キャリッジシャフト４２に沿って、キャリッジ４３が左右に移動自在に配設される。また、４４は前記キャリッジシャフト４２と平行に延在させて配設されたプラテン、４５は、前記キャリッジ４３に搭載され、かつ、先端をプラテン４４と対向させて配設された記録ヘッドとしての印字ヘッド、４６は該印字ヘッド４５とプラテン４４との間の距離を表すヘッドギャップを調整するためのヘッドギャップ調整レバーである。そして、４７は媒体としての用紙３１をセットするためのテーブルである。なお、印字ヘッド４５とプラテン４４との間に印字部Ｐ１が形成される。
【００２３】
ところで、前記テーブル４７にセットされた用紙３１を矢印Ａ方向に搬送するために、媒体搬送装置が配設される。該媒体搬送装置は、用紙３１の搬送方向における印字ヘッド４５より上流側に配設されたフロントフィードローラ５１、用紙３１の搬送方向における印字ヘッド４５より下流側に配設されたリヤフィードローラ５２、前記テーブル４７と印字部Ｐ１との間に延在させられ、用紙３１を案内するガイド５３、前記印字部Ｐ１と排出部Ｐ２との間に延在させられ、用紙３１を案内するガイド５４、前記排出部Ｐ２に配設され、リヤフィードローラ５２によって搬送された用紙３１を図示されないスタッカに排出するためのスタッカローラ５５、前記リヤフィードローラ５２において搬送される用紙３１に適度の押圧力を加えるための押圧機構部５６等を備える。
【００２４】
前記フロントフィードローラ５１は、テーブル４７にセットされた用紙３１を印字部Ｐ１に供給するために、用紙３１の搬送路ｒｔの上側に配設された第１の搬送ローラ軸としてのアッパシャフト５８、前記搬送路ｒｔの下側に配設されたロワシャフト５９を備え、アッパシャフト５８及びロワシャフト５９には、軸方向における複数箇所にローラ６１、６２が互いに接触させて配設される。また、リヤフィードローラ５２は、印字ヘッド４５によって記録、本実施の形態においては、印字が行われた後の用紙３１を排出部Ｐ２に搬送するために、前記搬送路ｒｔの上側に配設された第２の搬送ローラ軸としてのアッパシャフト６３、前記搬送路ｒｔの下側に配設されたロワシャフト６４を備え、アッパシャフト６３及びロワシャフト６４には、軸方向における複数箇所にローラ６５、６６が互いに接触させて配設される。前記アッパシャフト５８、６３及びロワシャフト５９、６４は、いずれも、サイドフレーム１２、１３に対してブッシュ（例えば、アッパシャフト６３の場合、ブッシュｂｓ）によって回転自在に支持される。また、前記アッパシャフト５８、６３は、移動自在、本実施の形態においては、ロワシャフト５９、６４に対して上下方向に移動自在に配設される。
【００２５】
そして、前記ガイド５３は、前記搬送路ｒｔの上側に配設されたアッパガイド６８及び搬送路ｒｔの下側に配設されたロワガイド６９を備え、前記ガイド５４は、前記搬送路ｒｔの上側に配設されたアッパガイド７１及び搬送路ｒｔの下側に配設されたロワガイド７２を備える。前記アッパガイド６８、７１及びロワガイド６９、７２は、互いに所定の距離δを置いて平行に、前記サイドフレーム１２、１３に溶接、ネジ等の固定手段によって固定される。
【００２６】
前記押圧機構部５６は、用紙３１の搬送方向におけるリヤフィードローラ５２より下流側において、前記サイドフレーム１２、１３に対して図示されないブッシュを介して支持され、支点部７４を中心にして揺動自在に支持された押付部材としてのテンションプレート７５、該テンションプレート７５の先端に取り付けられたガイドピース７６、アッパガイド７１の一部を折曲することによって形成されたブラケット７７にボルトｂｔ１等の固定部材によって取り付けられた付勢部材としての複数のテンションスプリング７８等を備え、該各テンションスプリング７８が、テンションプレート７５を搬送路ｒｔに向けて所定の付勢力で付勢すると、テンションプレート７５は複数箇所においてガイドピース７６を介して前記アッパシャフト６３を押し、ローラ６５をローラ６６に向けて所定の押付力で押し付ける。このようにして、前記付勢力によって用紙３１に適度の押圧力が加えられ、ローラ６５、６６の回転に伴って用紙３１が所定の搬送力で搬送される。なお、前記テンションプレート７５は複数箇所において前記アッパシャフト６３を押し付ける。
【００２７】
次に、前記テンションプレート７５の詳細について説明する。
【００２８】
図１０は本発明の第１の実施の形態におけるテンションプレートの斜視図である。
【００２９】
図に示されるように、テンションプレート７５は、高さ方向におけるアッパシャフト６３（図７）の中心とほぼ同じ位置においてアッパシャフト６３と平行に延びる基部ａ、該基部ａの両端において立ち上げて形成された立上部ｂ、ｃ、各立上部ｂ、ｃにおいて突出させて形成され、ブッシュｂｓ１、ｂｓ２に係止させられる支点部７４、前記基部ａの長手方向における複数箇所において、立ち上げて形成された支持部ｄ、及び各支持部ｄの上端から水平に、かつ、用紙３１の搬送方向における上流側に向けて形成された押え部ｅを備え、各押え部ｅにガイドピース７６を取り付けるための穴ｆが形成される。なお、サイドフレーム１２、１３、ブッシュｂｓ１、ｂｓ２等によってテンションプレート７５の支持機構が構成される。
【００３０】
また、前記テンションプレート７５は所定の押え部ｅにおいてテンションスプリング７８によって前記付勢力が加えられるので、該付勢力を受けても変形することがない材料、例えば、鋼、ダイキャスト等の剛体によって形成される。
【００３１】
次に、前記構成の媒体搬送装置の動作について説明する。
【００３２】
図１は本発明の第１の実施の形態におけるリヤフィードローラの各ローラ間に用紙が挿入された状態を示す側面図、図１１は本発明の第１の実施の形態におけるリヤフィードローラの各ローラ間の左側に用紙が挿入された状態を示す正面図、図１２は本発明の第１の実施の形態におけるリヤフィードローラの各ローラ間の右側に用紙が挿入された状態を示す正面図、図１３は本発明の第１の実施の形態におけるテンションプレートの他の例を示す側面図、図１４は本発明の第１の実施の形態におけるテンションプレートの他の例を示す平面図である。
【００３３】
用紙３１がローラ６５、６６間に挿入されると、まず、アッパシャフト６３は用紙３１の厚さ分だけ矢印Ｂ方向に押し上げられ、このとき、アッパシャフト６３と直接接触しているガイドピース７６を介して、テンションプレート７５の押え部ｅが押し上げられ、これに伴って、テンションプレート７５は、前記支点部７４を支点として用紙３１の厚さ分だけ回動させられる。この場合、アッパシャフト６３の一方の端部においてローラ６５が用紙３１の挿入に伴って押し上げられると、テンションプレート７５の一方の端部も押し上げられる。このとき、テンションプレート７５は剛体から成り、応力が加わっても容易に形状を変えないので、一部、例えば、一方の端部が押し上げられるのに伴って全体が押し上げられ、その結果、他方の端部も同じだけ押し上げられる。
【００３４】
したがって、テンションプレート７５は、用紙３１が挿入されるのに伴って、ねじられることなく、全体が一体となって回転する。すなわち、用紙３１が、図１１に示されるように、各ローラ６５、６６間の左側の端部に挿入されても、図１２に示されるように、各ローラ６５、６６間の右側の端部に挿入されても、また、用紙３１が薄紙であっても、厚紙であっても、テンションプレート７５は、用紙３１の厚さ分だけ用紙３１の幅方向にわたって一様に回動させられる。
【００３５】
したがって、テンションプレート７５はローラ６５を用紙３１の幅方向にわたって一様の押付力で押し付けるので、用紙３１に幅方向にわたって一様な押圧力が加えられ、搬送力にむらが発生するのを防止することができ、用紙３１に斜行が発生するのを防止することができる。
【００３６】
このように、用紙３１の幅方向に延在させられ、剛体から成るテンションプレート７５を介してローラ６５がローラ６６に押し付けられるので、用紙３１の厚さ、寸法、セット位置等の影響を受けることなく、用紙３１を安定させて、かつ、十分な搬送力で搬送することができる。
【００３７】
なお、押付部材としてテンションプレート７５に代えて、図１３に示されるようなテンションプレート１７５を使用することができる。該テンションプレート１７５は平坦（たん）な構造を有し、支点部１７４を介してサイドフレーム１２、１３に対して揺動自在に配設され、ガイドピース７６を介してアッパシャフト６３を押し付ける。
【００３８】
また、押付部材として前記テンションプレート７５に代えて、図１４に示されるようなテンションプレート２７５を使用することができる。図において、２７４はテンションプレート２７５の両端に形成された支点部である。前記テンションプレート２７５は、アッパシャフト６３の軸方向における一部に押え部２７６を備える。この場合、用紙３１が搬送される領域内の少なくとも１箇所において一つの押え部２７６が形成され、該押え部２７６によってアッパシャフト６３が押し付けられる。
【００３９】
なお、図において、１２、１３はサイドフレーム、６４はロワシャフト、７８はテンションスプリング、ｂ、ｃは立上部、ｄは支持部である。
【００４０】
ところで、前記テンションプレート７５、１７５、２７５として鋼板等によって形成されるので、加工時にねじれ、反り等の変形が発生することがある。
【００４１】
図１５は本発明の第１の実施の形態におけるテンションプレートにおいて変形が発生した状態を示す図である。この場合、平坦なテンションプレート１７５を使用した例について説明する。
【００４２】
図に示されるように、テンションプレート１７５に変形が発生すると、所定のガイドピース７６とアッパシャフト６３との間に隙（すき）間が発生し、左右にガタが発生し、用紙３１に加えられる押圧力が幅方向において一様でなくなり、搬送力にむらが発生してしまう。
【００４３】
なお、図において、１２、１３はサイドフレーム、１７４は支点部である。
【００４４】
そこで、テンションプレート７５、１７５、２７５等に変形が発生しても、搬送力にむらが発生するのを防止することができるようにした本発明の第２の実施の形態について説明する。なお、第１の実施の形態と同じ構造を有するものについては、同じ符号を付与することによってその説明を省略し、同じ構造を有することによる発明の効果については同実施の形態の効果を援用する。
【００４５】
図１６は本発明の第２の実施の形態におけるテンションプレートの支持機構を示す斜視図、図１７は本発明の第２の実施の形態におけるテンションプレートの支持機構の動作を示す第１の図、図１８は本発明の第２の実施の形態におけるテンションプレートの支持機構の動作を示す第２の図、図１９は本発明の第２の実施の形態におけるテンションプレートの支持機構の動作を示す第３の図、図２０は本発明の第２の実施の形態におけるテンションプレートの支持機構の動作を示す第４の図である。
【００４６】
この場合、押付部材としてのテンションプレート１７５の両端の支持機構のうちの少なくとも一方に、第２の搬送ローラ軸としてのアッパシャフト６３の押付状態を調整する調整部が配設される。そのために、少なくとも一方の支点部１７４にガタ調整用の偏心カラー１３２が配設される。該偏心カラー１３２の一端は、例えば、サイドフレーム１３に形成された摺（しゅう）動穴１０１に回転自在に嵌（かん）入され、他端は前記調整プレート１３３の係止穴１０２に嵌入される。そして、前記偏心カラー１３２の外周面の所定の箇所に、軸方向に延びる凹部１０４が、前記係止穴１０２の内周面の所定の箇所に、軸方向に延びる凸部１０５が形成され、凹部１０４と凸部１０５とが係合させられる。また、前記偏心カラー１３２には、支持部１７４を嵌入させるための貫通穴１１１が偏心させて形成される。なお、偏心カラー１３２、調整プレート１３３等によって調整部が構成される。
【００４７】
したがって、調整プレート１３３が矢印Ｃ、Ｄ方向に回転させられると、偏心カラー１３２が同期して回転させられる。
【００４８】
前記調整プレート１３３には、弧状の長溝１０７が形成され、該長溝１０７を貫通させてねじ１０８がサイドフレーム１３のねじ穴１０９に螺（ら）合させられる。
【００４９】
次に、前記支持機構の動作について説明する。
【００５０】
まず、図１７に示されるように、調整プレート１３３が水平に置かれた状態で、支持部１７４は図１８に示される基準位置に置かれる。ねじ１０８を緩め、調整プレート１３３を矢印Ｃ方向に回転させると、調整プレート１３３と共に偏心カラー１３２が矢印Ｃ方向に回転させられ、これに伴って、前記支持部１７４は前記基準位置から図１９に示される下方位置に置かれる。一方、調整プレート１３３を矢印Ｄ方向に回転させると、調整プレート１３３と共に偏心カラー１３２が矢印Ｄ方向に回転させられ、これに伴って、前記支持部１７４は前記基準位置から図２０に示される上方位置に置かれる。
【００５１】
このように、例えば、サイドフレーム１３側において、支持部１７４を上下方向に移動させ、アッパシャフト６３の押付状態を調整することができるので、テンションプレート１７５に変形が発生しても、各ガイドピース７６とアッパシャフト６３との間に隙間が発生することがなくなり、左右にガタが発生するのを防止することができる。したがって、媒体としての用紙３１に加えられる押圧力を用紙３１の幅方向において一様にすることができ、搬送力にむらが発生するのを防止することができる。
【００５２】
次に、本発明の第３の実施の形態について説明する。なお、第１の実施の形態と同じ構造を有するものについては、同じ符号を付与することによってその説明を省略し、同じ構造を有することによる発明の効果については同実施の形態の効果を援用する。
【００５３】
図２１は本発明の第３の実施の形態におけるテンションプレートの斜視図、図２２は本発明の第３の実施の形態における媒体搬送装置の動作を示す第１の側面図、図２３は本発明の第３の実施の形態における媒体搬送装置の動作を示す第２の側面図である。
【００５４】
図において、３７５は押付部材としてのテンションプレートであり、該テンションプレート３７５は第２の搬送ローラ軸としてのアッパシャフト６３と平行に延在させられ、媒体としての用紙３１を案内するガイドの一部を構成するアッパガイドを兼ねる基部ａ１、該基部ａ１の両端において立ち上げて形成された立上部ｂ１、ｃ１、各立上部ｂ１、ｃ１において突出させて形成され、図示されないブッシュに係止させられる支点部３７４、前記基部ａ１の長手方向における両端において、立ち上げて形成された支持部ｄ１、及び各支持部ｄ１の上端から水平に、かつ、用紙３１の搬送方向における上流側に向けて形成された押え部ｅ１を備え、各押え部ｅ１にガイドピース７６を取り付けるための穴ｆ１、及び付勢部材としてのテンションスプリング７８を受けるスプリング受け部ｇ１が形成される。
【００５５】
なお、１７１はアッパガイドであり、該アッパガイド１７１にブラケット７７が形成される。また、前記基部ａ１には、前記各ローラ６５を位置させるための数個の逃げ穴３７８が形成される。
【００５６】
次に、前記構成の媒体搬送装置の動作について説明する。
【００５７】
用紙３１がローラ６５、６６間に挿入されると、まず、アッパシャフト６３は用紙３１の厚さ分だけ押し上げられ、このとき、アッパシャフト６３と直接接触しているガイドピース７６を介して、テンションプレート３７５の押え部ｅ１が押し上げられ、これに伴って、テンションプレート３７５は、前記支点部３７４を支点として用紙３１の厚さ分だけ回動させられる。この場合、アッパシャフト６３の一方の端部においてローラ６５が用紙３１の挿入に伴って押し上げられると、テンションプレート３７５の一方の端部も押し上げられる。このとき、テンションプレート３７５は剛体から成り、応力が加わっても容易に形状を変えないので、一方の端部が押し上げられると、他方の端部も同じだけ押し上げられる。
【００５８】
したがって、テンションプレート３７５はローラ６５を用紙３１の幅方向にわたって一様の押付力で押し付けるので、用紙３１には幅方向にわたって一様な押圧力が加えられ、搬送力にむらが発生するのを防止することができ、用紙３１に斜行が発生するのを防止することができる。
【００５９】
このように、用紙３１の幅方向に延在させられ、剛体から成るテンションプレート３７５を介してローラ６５がローラ６６に押し付けられるので、用紙３１の厚さ、寸法、セット位置等の影響を受けることなく、用紙３１を安定させて、かつ、十分な搬送力で搬送することができる。
【００６０】
また、テンションプレート３７５が回動させられるのに伴って、基部ａ１も回動させられ、図２３に示されるように、基部ａ１とロワガイド７２との間が広げられるので、用紙３１が厚紙であっても、引っかかることなく、円滑に搬送することができる。
【００６１】
次に、用紙３１の搬送方向におけるリヤフィードローラ５２より上流側においてテンションプレートを支持するようにした本発明の第４の実施の形態について説明する。なお、第３の実施の形態と同じ構造を有するものについては、同じ符号を付与することによってその説明を省略し、同じ構造を有することによる発明の効果については同実施の形態の効果を援用する。
【００６２】
図２４は本発明の第４の実施の形態における媒体搬送装置の動作を示す側面図である。
【００６３】
図において、４７５は押付部材としてのテンションプレートであり、該テンションプレート４７５は第２の搬送ローラ軸としてのアッパシャフト６３と平行に延在させられ、媒体としての用紙３１を案内するためのガイドの一部を構成するアッパガイドを兼ねる基部ａ２１、該基部ａ２１の両端において立ち上げて形成された立上部ｃ２１（図においては、一方の立上部ｃ２１だけを示す。）、各立上部ｃ２１において突出させて形成され、図示されないブッシュに係止させられる支点部４７４、前記基部ａ２１の長手方向における両端において、立ち上げて形成された支持部ｄ２１、及び各支持部ｄ２１の上端から水平に、かつ、用紙３１の搬送方向における下流側に向けて形成された押え部ｅ２１を備え、各押え部ｅ２１にガイドピース７６を取り付けるための図示されない穴、及び付勢部材としてのテンションスプリング７８を受けるスプリング受け部が形成される。
【００６４】
前記各実施の形態においては、リヤフィードローラ５２について説明しているが、本発明をフロントフィードローラ５１に適用することもできる。
【００６５】
なお、本発明は前記実施の形態に限定されるものではなく、本発明の趣旨に基づいて種々変形させることが可能であり、それらを本発明の範囲から排除するものではない。
【００６６】
【発明の効果】
以上詳細に説明したように、本発明によれば、媒体搬送装置においては、上下方向に移動自在に配設された搬送ローラ軸と、複数箇所において前記搬送ローラ軸を押し付ける押付部材と、該押付部材を媒体の搬送路に向けて付勢する付勢部材とを有する。
【００６７】
そして、前記押付部材は、一部が押し上げられるのに伴って全体が押し上げられる。
【００６８】
この場合、押付部材は、媒体が挿入されて一部が押し上げられるのに伴って全体が押し上げられる。したがって、押付部材は搬送ローラ軸を媒体の幅方向にわたって一様の押付力で押し付けるので、媒体に幅方向にわたって一様な押圧力が加えられ、搬送力にむらが発生するのを防止することができ、媒体に斜行が発生するのを防止することができる。
【００６９】
また、媒体の厚さ、寸法、セット位置等の影響を受けることなく、媒体を安定させて、かつ、十分な搬送力で搬送することができる。
【図面の簡単な説明】
【図１】本発明の第１の実施の形態におけるリヤフィードローラの各ローラ間に用紙が挿入された状態を示す側面図である。
【図２】従来のプリンタの媒体搬送装置の要部を示す正面図である。
【図３】従来のプリンタの媒体搬送装置の要部を示す側面図である。
【図４】従来のプリンタの媒体搬送装置において用紙を挿入した状態を示す正面図である。
【図５】従来のプリンタの媒体搬送装置において用紙を挿入した状態を示す側面図である。
【図６】従来のプリンタの他の媒体搬送装置の要部を示す正面図である。
【図７】本発明の第１の実施の形態におけるプリンタの要部を示す概略図である。
【図８】本発明の第１の実施の形態におけるプリンタの要部を示す第１の斜視図である。
【図９】本発明の第１の実施の形態におけるプリンタの要部を示す第２の斜視図である。
【図１０】本発明の第１の実施の形態におけるテンションプレートの斜視図である。
【図１１】本発明の第１の実施の形態におけるリヤフィードローラの各ローラ間の左側に用紙が挿入された状態を示す正面図である。
【図１２】本発明の第１の実施の形態におけるリヤフィードローラの各ローラ間の右側に用紙が挿入された状態を示す正面図である。
【図１３】本発明の第１の実施の形態におけるテンションプレートの他の例を示す側面図である。
【図１４】本発明の第１の実施の形態におけるテンションプレートの他の例を示す平面図である。
【図１５】本発明の第１の実施の形態におけるテンションプレートにおいて変形が発生した状態を示す図である。
【図１６】本発明の第２の実施の形態におけるテンションプレートの支持機構を示す斜視図である。
【図１７】本発明の第２の実施の形態におけるテンションプレートの支持機構の動作を示す第１の図である。
【図１８】本発明の第２の実施の形態におけるテンションプレートの支持機構の動作を示す第２の図である。
【図１９】本発明の第２の実施の形態におけるテンションプレートの支持機構の動作を示す第３の図である。
【図２０】本発明の第２の実施の形態におけるテンションプレートの支持機構の動作を示す第４の図である。
【図２１】本発明の第３の実施の形態におけるテンションプレートの斜視図である。
【図２２】本発明の第３の実施の形態における媒体搬送装置の動作を示す第１の側面図である。
【図２３】本発明の第３の実施の形態における媒体搬送装置の動作を示す第２の側面図である。
【図２４】本発明の第４の実施の形態における媒体搬送装置の動作を示す側面図である。
【符号の説明】
１２、１３    サイドフレーム
３１    用紙
６３    アッパシャフト
７５、１７５、２７５、３７５、４７５    テンションプレート
７８    テンションスプリング
１３２    偏心カラー
１３３    調整プレート
ｂｓ１、ｂｓ２    ブッシュ
ｒｔ    搬送路
【図１】
2004345793.tif 000003
【図２】
2004345793.tif 000004
【図３】
2004345793.tif 000005
【図４】
2004345793.tif 000006
【図５】
2004345793.tif 000007
【図６】
2004345793.tif 000008
【図７】
2004345793.tif 000009
【図８】
2004345793.tif 000010
【図９】
2004345793.tif 000011
【図１０】
2004345793.tif 000012
【図１１】
2004345793.tif 000013
【図１２】
2004345793.tif 000014
【図１３】
2004345793.tif 000015
【図１４】
2004345793.tif 000016
【図１５】
2004345793.tif 000017
【図１６】
2004345793.tif 000018
【図１７】
2004345793.tif 000019
【図１８】
2004345793.tif 000020
【図１９】
2004345793.tif 000021
【図２０】
2004345793.tif 000022
【図２１】
2004345793.tif 000023
【図２２】
2004345793.tif 000024
【図２３】
2004345793.tif 000025
【図２４】
2004345793.tif 000026